【手続補正書】
【提出日】平成17年12月6日(2005.12.6)
【手続補正１】
【補正対象書類名】明細書
【補正対象項目名】特許請求の範囲
【補正方法】変更
【補正の内容】
【特許請求の範囲】
【請求項１】  ディスク状記録媒体に記録されたデータの再生開始点を選択するためのメニュー画面を表示装置に表示する表示制御手段と、
前記メニュー画面に基づいて前記データの再生開始点を選択する選択手段と、
前記ディスク状記録媒体より前記データを読み出す再生手段と、
前記メニュー画面を表示している最中に、前記選択手段により選択された前記ディスク状記録媒体の再生開始点より前記データを読み出してメモリに格納するよう前記再生手段を制御する格納制御手段と、
前記選択手段により選択された再生開始点を確定する確定手段と、
前記確定手段による確定動作に応じて、前記メニュー画面を表示している最中に前記メモリに格納されたデータを読み出して出力する再生出力手段とを備える再生装置。
【請求項２】  前記格納制御手段は、前記選択された再生開始点より所定のデータ量の前記データを読み出して前記メモリに格納すると共に、前記確定手段による確定動作に応じて、前記メモリに格納されたデータに後続するデータを前記ディスク状記録媒体より読み出して前記メモリに格納するよう前記再生手段を制御することを特徴とする請求項１記載の再生装置。
【請求項３】  ディスク状記録媒体に記録された画像データに含まれるクリップのサムネイル画像からなるメニュー画面を表示装置に表示する表示制御手段と、
前記メニュー画面に基づいて前記ディスク状記録媒体より再生すべきクリップを選択する選択手段と、
前記ディスク状記録媒体より前記画像データを読み出す再生手段と、
前記メニュー画面を表示している最中に、前記選択手段により選択された前記クリップの先頭より前記画像データを読み出してメモリに格納するよう前記再生手段を制御する格納制御手段と、
前記選択手段により選択されたクリップを確定する確定手段と、
前記確定手段による確定動作に応じて、前記メニュー画面を表示している最中に前記メモリに格納された画像データを読み出して前記表示装置に出力する再生出力手段とを備える再生装置。
【請求項４】  ディスク状記録媒体に記録された画像データに含まれるクリップのサムネイル画像からなるメニュー画面を表示装置に表示する表示制御手段と、
前記メニュー画面に基づいて前記ディスク状記録媒体より再生すべきクリップを選択する選択手段と、
前記ディスク状記録媒体より前記画像データを読み出す再生手段と、
前記メニュー画面を表示している最中に、前記メニュー画面に表示されている複数のサムネイル画像に対応するクリップの先頭よりそれぞれ画像データを読み出してメモリに格納するよう前記再生手段を制御する格納制御手段と、
前記選択手段により選択されたクリップを確定する確定手段と、
前記確定手段による確定動作に応じて、前記メニュー画面を表示している最中に前記メモリに格納された画像データのうち前記選択手段により選択されたクリップの画像データを読み出して前記表示装置に出力する再生出力手段とを備える再生装置。
【請求項５】  前記格納制御手段は、前記メニュー画面が変更された場合、変更された前記メニュー画面に表示されている複数のサムネイル画像に対応するクリップの先頭よりそれぞれ画像データを読み出してメモリに格納することを特徴とする請求項４記載の再生装置。
【請求項６】  前記格納制御手段は、前記複数のサムネイル画像に対応するクリップの先頭よりそれぞれ所定量ずつ画像データを読み出してメモリに格納することを特徴とする請求項４記載の再生装置。
【請求項７】  ディスク状記録媒体より画像データを読み出す再生手段と、
前記ディスク状記録媒体からの前記画像データの再生開始の決定がなされる前に、前記ディスク状記録媒体に記録された複数のクリップのうち記録日時が最も古いクリップの画像データを読み出してメモリに格納するよう前記再生手段を制御する格納制御手段と、
前記画像データの再生開始の決定がなされたことに応じて、前記メモリに格納された画像データを読み出して前記表示装置に出力する再生出力手段とを備える再生装置。
【手続補正２】
【補正対象書類名】明細書
【補正対象項目名】００１６
【補正方法】変更
【補正の内容】
【００１６】
【課題を解決するための手段】
上記課題を解決するため、本発明による再生装置は、ディスク状記録媒体に記録されたデータの再生開始点を選択するためのメニュー画面を表示装置に表示する表示制御手段と、前記メニュー画面に基づいて前記データの再生開始点を選択する選択手段と、前記ディスク状記録媒体より前記データを読み出す再生手段と、前記メニュー画面を表示している最中に、前記選択手段により選択された前記ディスク状記録媒体の再生開始点より前記データを読み出してメモリに格納するよう前記再生手段を制御する格納制御手段と、前記選択手段により選択された再生開始点を確定する確定手段と、前記確定手段による確定動作に応じて、前記メニュー画面を表示している最中に前記メモリに格納されたデータを読み出して出力する再生出力手段とを備えている。
【手続補正３】
【補正対象書類名】明細書
【補正対象項目名】０１１４
【補正方法】削除
【補正の内容】
【手続補正４】
【補正対象書類名】明細書
【補正対象項目名】０１１５
【補正方法】削除
【補正の内容】
【手続補正５】
【補正対象書類名】明細書
【補正対象項目名】０１１６
【補正方法】削除
【補正の内容】
【手続補正６】
【補正対象書類名】明細書
【補正対象項目名】０１１７
【補正方法】削除
【補正の内容】
【手続補正７】
【補正対象書類名】明細書
【補正対象項目名】０１１８
【補正方法】削除
【補正の内容】
【手続補正８】
【補正対象書類名】明細書
【補正対象項目名】０１１９
【補正方法】削除
【補正の内容】
【手続補正９】
【補正対象書類名】明細書
【補正対象項目名】０１２０
【補正方法】削除
【補正の内容】
【手続補正１０】
【補正対象書類名】明細書
【補正対象項目名】０１２１
【補正方法】削除
【補正の内容】
【手続補正１１】
【補正対象書類名】明細書
【補正対象項目名】０１２２
【補正方法】削除
【補正の内容】
【手続補正１２】
【補正対象書類名】明細書
【補正対象項目名】０１２３
【補正方法】削除
【補正の内容】
【手続補正１３】
【補正対象書類名】明細書
【補正対象項目名】０１２４
【補正方法】削除
【補正の内容】
【手続補正１４】
【補正対象書類名】明細書
【補正対象項目名】０１２５
【補正方法】削除
【補正の内容】
【手続補正１５】
【補正対象書類名】明細書
【補正対象項目名】０１２６
【補正方法】削除
【補正の内容】
【手続補正１６】
【補正対象書類名】明細書
【補正対象項目名】０１２７
【補正方法】削除
【補正の内容】
【手続補正１７】
【補正対象書類名】明細書
【補正対象項目名】０１２８
【補正方法】削除
【補正の内容】
【手続補正１８】
【補正対象書類名】明細書
【補正対象項目名】０１２９
【補正方法】削除
【補正の内容】
【手続補正１９】
【補正対象書類名】明細書
【補正対象項目名】０１３０
【補正方法】削除
【補正の内容】
【手続補正２０】
【補正対象書類名】明細書
【補正対象項目名】０１３１
【補正方法】削除
【補正の内容】
【手続補正２１】
【補正対象書類名】明細書
【補正対象項目名】０１３２
【補正方法】削除
【補正の内容】
【手続補正２２】
【補正対象書類名】明細書
【補正対象項目名】０１３３
【補正方法】削除
【補正の内容】
【手続補正２３】
【補正対象書類名】明細書
【補正対象項目名】０１３４
【補正方法】削除
【補正の内容】